(57)【要約】  【課題】カセッテトレイに対する撮影用カセッテの装填・離脱を片手操作で行なう。  【解決手段】この発明のＸ線撮影台は、撮影用カセッテ２の装填時は、片手に持ったＸ線感光シート入りの撮影用カセッテ２で両カセッテ挟み付けピース１０，１１の間隔を十分に広げながら、撮影用カセッテ２を入れ込んでカセッテ挟み付けピース１０，１１を押すのを止めて、撮影用カセッテ２から離したその手でカセッテトレイ３をトレイホルダ４に押し込むことで、片手操作による撮影用カセッテ２の装填が完了となる。また、撮影用カセッテ２の離脱時は、カセッテトレイ３をトレイホルダ４から撮影用カセッテ２の着脱位置へ引き出した方の片手で掴んだ撮影用カセッテ２でカセッテ挟み付けピース１０，１１の間隔を広げながら、撮影用カセッテ２を取り出せば、片手操作による撮影用カセッテ２の離脱が完了となる。よって、片手操作で撮影用カセッテの装填・離脱が行なえる。【選択図】    図３
2005198881.tif 000002
【特許請求の範囲】
【請求項１】
（Ａ）Ｘ線感光シート入りの撮影用カセッテが収容されるカセッテトレイと、撮影用カセッテの着脱位置から押し込まれるカセッテトレイを撮影用カセッテの着脱位置へ引き出し可能に受け入れて撮影位置に保持するトレイホルダと、（Ｂ）一方が他方に接近するのに連動して他方も一方に接近して両者の間隔が狭まると共に一方が他方から離反するのに連動して他方も一方から離反して両者の間隔が広がるかたちでカセッテトレイのカセッテ装填面側に配置されている一対のカセッテ挟み付けピースと、（Ｃ）両カセッテ挟み付けピースが離反する方向に移動するのに連動して両カセッテ挟み付けピースを接近する向きに引き戻す引っ張り力を両カセッテ挟み付けピースに付与する引っ張り力付与機構と、（Ｄ）カセッテトレイのトレイホルダへの押し込み動作に連動してカセッテ挟み付けピースを現在位置で固定するロックを掛けると共にカセッテトレイのトレイホルダへの引き出し動作に連動してカセッテ挟み付けピースを現在位置で固定するロックを解く挟み付けピースロック機構とを備えていることを特徴とするカセッテ式直接Ｘ線撮影台。
【請求項２】
請求項１に記載のカセッテ式直接Ｘ線撮影台において、（Ｅ）カセッテトレイの押し込み動作によりカセッテトレイとトレイホルダを機械的に係合させて撮影位置にカセッテトレイを保持すると共にカセッテトレイの引き出し動作によりカセッテトレイとトレイホルダとの機械的な係合を外して撮影位置でのカセッテトレイの保持を解除するトレイキャッチ機構が配設されているカセッテ式直接Ｘ線撮影台。
【請求項３】
請求項１または２に記載のカセッテ式直接Ｘ線撮影台において、カセッテトレイにおけるカセッテセット面側の反対側にディスクが一側方向の回転（正回転）と他側方向の回転（逆回転）が可能に軸着されていて、ディスクの正回転と両カセッテ挟み付けピースの接近動作とを結び付け、ディスクの逆回転と両カセッテ挟み付けピースの離反動作とを結び付ける連結構造が各カセッテ挟み付けピースとディスクとの間に配設されており、引っ張り力付与機構として、カセッテ挟み付けピースの離反動作に伴うディスクの逆回転によって両カセッテ挟み付けピースを接近する向きに引き戻す引っ張り力を発生するバネ部材がディスクとカセッテトレイとの間に掛け渡されているのに加えて、カセッテ挟み付けロック機構は、ディスクを回転不能にすることによりカセッテ挟み付けピースを現在位置で固定するロックを掛け、ディスクを回転可能にすることによりカセッテ挟み付けピースを現在位置で固定するロックを解くカセッテ式直接Ｘ線撮影台。
【請求項４】
請求項１から３のいずれかに記載のカセッテ式直接Ｘ線撮影台において、撮影台が立位撮影用であって、カセッテトレイには、大きさの異なる各撮影用カセッテの下側面を受け止めるカセッテ受け止めピースが着脱自在に取り付けられるピース取り付け孔が、撮影用カセッテの大きさに応じた各位置に設けられているカセッテ式直接Ｘ線撮影台。
【発明の詳細な説明】
【技術分野】
【０００１】
Ｘ線感光シートが入っている撮影用カセッテを収容するカセッテトレイをトレイホルダへ押し込んで撮影位置に保持するカセッテ式直接Ｘ線撮影台に係り、特にＸ線撮影技師がカセッテトレイに対する撮影用カセッテの装填・離脱が片手操作で行なえるようにするための技術に関する。
【背景技術】
【０００２】
従来、立位撮影用のカセッテ式直接Ｘ線撮影台は、図１７に示すように、Ｘ線感光シート５１が入っている撮影用カセッテ５２を収容するカセッテトレイ５３と、カセッテトレイ５３を受け入れて撮影位置に保持するトレイホルダ５４とが直立型架台５５に配設されていて、矢印ｒａで示すように、撮影用カセッテ５２の着脱位置からカセッテトレイ５３が撮影用カセッテ５２ごと押し込まれてトレイホルダ５４で保持されると共に、矢印ｒｂで示すように、トレイホルダ５４からカセッテトレイ５３が撮影用カセッテ５２の着脱位置へ引き出される。
【０００３】
カセッテトレイ５３のカセッテセット面側には、図１８に示すように、二等辺三角形式で動くレバー機構（図示省略）を利用することにより、一方が他方に接近するのに連動して他方も一方に接近して両者の間隔が狭まると共に一方が他方から離反するのに連動して他方も一方から離反して両者の間隔が広がる構成とされている一対のカセッテ挟み付けピース５６，５７が配置されているのに加え、撮影用カセッテ５２の下側面を受け止めるカセッテ受け止めピース５８が装填対象の撮影用カセッテ５２の大きさ（寸法規格）に合致した位置に配置されている。
【０００４】
従来の立位撮影用のカセッテ式直接Ｘ線撮影台の場合、撮影用カセッテ５２の装填時は、図１８（ａ）に示すように、撮影用カセッテ５２の着脱位置にあるカセッテトレイ５３のカセッテ挟み付けピース５６，５７の間隔を先に十分に広げてから、撮影用カセッテ５２の下側面をカセッテ受け止めピース５８の上に載せてカセッテ挟み付けピース５６，５７の間に撮影用カセッテ５２をカセッテ受け止めピース５８が受け止めるかたちでセットする。そして、片方の手（図示省略）で撮影用カセッテ５２を倒れないように支えながら、もう片方の手（図示省略）でカセッテ挟み付けピース５６，５７のどちらか一方を、図１８（ａ）中の矢印ｒｃ，ｒｄで示すように、他方に接近する方へ移動させると、図１８（ｂ）に示すように、カセッテ挟み付けピース５６，５７の間隔が狭まって撮影用カセッテ５２が挟み付けられて一応動かなくなる。ついで、別途に設けたネジ締付式等の挟み付けピース固定機構（図示省略）を操作してカセッテ挟み付けピース５６，５７を現在位置で固定すれば、撮影用カセッテ５２の装填は完了となる。
【０００５】
逆の撮影用カセッテ５２の離脱時は、カセッテトレイ５３を撮影用カセッテ５２の着脱位置に引き出しておいて、片方の手で撮影用カセッテ５２が倒れないように支えながら、挟み付けピース固定機構を操作してカセッテ挟み付けピース５６，５７の固定を外した後、図１８（ｂ）中の矢印ｒｅ，ｒｆで示すように、カセッテ挟み付けピース５６，５７の一方を他方から離反する方向へ移動させて、図１８（ａ）中に示すように、カセッテ挟み付けピース５６，５７の間隔を撮影用カセッテ５２が取り出せるまでに広げてから、撮影用カセッテ５２を取り出せば、撮影用カセッテ５２の離脱は完了となる（例えば特許文献１参照。）。
【特許文献１】特開平２０００−７５４３０号公報（第２〜３頁の〔０００７〕欄，および，図１）
【発明の開示】
【発明が解決しようとする課題】
【０００６】
しかしながら、上記従来のカセッテ式直接Ｘ線撮影台の場合、撮影用カセッテ５２の装填ないし離脱の際に、必ず両方の手を同時に使わなければならないという問題がある。
【０００７】
Ｘ線撮影技師はカセッテトレイ５３に対する撮影用カセッテ５２の装填・離脱を行なう際、往々にして未撮影の撮影用カセッテ５２も手に持っていたりして片手が塞がっている場合があり、必ず両方の手を同時に使う必要がある従来のカセッテ式直接Ｘ線撮影台は、時としてＸ線撮影技師にとっては不便なものであった。
【０００８】
この発明は、このような事情に鑑みてなされたものであって、カセッテトレイに対する撮影用カセッテの装填・離脱を片手操作で行なうことができるカセッテ式直接Ｘ線撮影台を提供することを目的とする。
【課題を解決するための手段】
【０００９】
この発明は、このような目的を達成するために、次のような構成をとる。
【００１０】
すなわち、請求項１に記載の発明に係るカセッテ式直接Ｘ線撮影台は、（Ａ）Ｘ線感光シート入りの撮影用カセッテが収容されるカセッテトレイと、撮影用カセッテの着脱位置から押し込まれるカセッテトレイを撮影用カセッテの着脱位置へ引き出し可能に受け入れて撮影位置に保持するトレイホルダと、（Ｂ）一方が他方に接近するのに連動して他方も一方に接近して両者の間隔が狭まると共に一方が他方から離反するのに連動して他方も一方から離反して両者の間隔が広がるかたちでカセッテトレイのカセッテ装填面側に配置されている一対のカセッテ挟み付けピースと、（Ｃ）両カセッテ挟み付けピースが離反する方向に移動するのに連動して両カセッテ挟み付けピースを接近する向きに引き戻す引っ張り力を両カセッテ挟み付けピースに付与する引っ張り力付与機構と、（Ｄ）カセッテトレイのトレイホルダへの押し込み動作に連動してカセッテ挟み付けピースを現在位置で固定するロックを掛けると共にカセッテトレイのトレイホルダへの引き出し動作に連動してカセッテ挟み付けピースを現在位置で固定するロックを解く挟み付けピースロック機構とを備えていることを特徴とするものである。
［作用・効果］請求項１の発明のカセッテ式直接Ｘ線撮影台（以下、適宜「Ｘ線撮影台」と略記）において撮影用カセッテを装填する場合、Ｘ線感光シートが入っている撮影用カセッテを片手で掴んで撮影用カセッテで一対のカセッテ挟み付けピースの一方を他方のカセッテ挟み付けピースから離反する方向に押して移動させる。そうすると、他方のカセッテ挟み付けピースも一方のカセッテ挟み付けピースの移動に連動して離反する方向に移動するので、両カセッテ挟み付けピースの間隔が十分に広がる。両カセッテ挟み付けピースの間隔が十分に広がった時点で、両カセッテ挟み付けピースの間に撮影用カセッテを入れ込んで撮影用カセッテでカセッテ挟み付けピースを押すのを止める。
【００１１】
両カセッテ挟み付けピースには引っ張り力付与機構によって、両カセッテ挟み付けピースが離反する方向に移動するのに連動して両カセッテ挟み付けピースを接近する向きに引き戻す引っ張り力が付与されているので、撮影用カセッテでカセッテ挟み付けピースを押すのを停止するのに伴って、両カセッテ挟み付けピースは速やかに接近する向きに移動して両カセッテ挟み付けピースの間隔が直ちに狭まり、撮影用カセッテがカセッテ挟み付けピースで挟み付けられて、手を離したとしても撮影用カセッテが一応動かない仮止め状態となる。
【００１２】
続いて、撮影用カセッテを支えていた手を離すと共に撮影用カセッテから離したその手でカセッテトレイをトレイホルダに押し込めば、カセッテトレイはトレイホルダに受け入れられて撮影位置に保持されると同時に、カセッテトレイの押し込み動作に連動して挟み付けピースロック機構によって、カセッテ挟み付けピースを現在位置で固定するロックが掛けられて、撮影用カセッテは固定される結果、片手操作だけで撮影用カセッテの装填ができたことになる。
【００１３】
請求項１の発明のＸ線撮影台において撮影用カセッテを離脱する場合は、先ずカセッテトレイをトレイホルダから撮影用カセッテの着脱位置へ引き出す。そうすると、カセッテトレイの引き出し動作に連動して挟み付けピースロック機構のロックが外れて、カセッテ挟み付けピースの現在位置での固定状態が解消され、両カセッテ挟み付けピースは移動可能な状態に復帰する。
【００１４】
続いて、カセッテトレイを引き出した方の片手で撮影用カセッテを掴んで撮影用カセッテで一対のカセッテ挟み付けピースの一方を押して他方のカセッテ挟み付けピースから離反する方向に移動させる。そうすると、他方のカセッテ挟み付けピースも一方のカセッテ挟み付けピースの移動に連動して離反する方向に移動して両カセッテ挟み付けピースの間隔が広くなる。そして、両カセッテ挟み付けピースの間隔が十分に開いた時点で、カセッテトレイから撮影用カセッテを取り出して離脱させれば、片手操作だけで撮影用カセッテの離脱ができたことになる。
【００１５】
また、請求項２に記載の発明は、請求項１に記載のカセッテ式直接Ｘ線撮影台において、（Ｅ）カセッテトレイの押し込み動作によりカセッテトレイとトレイホルダを機械的に係合させて撮影位置にカセッテトレイを保持すると共にカセッテトレイの引き出し動作によりカセッテトレイとトレイホルダとの機械的な係合を外して撮影位置でのカセッテトレイの保持を解除するトレイキャッチ機構が配設されているものである。
［作用・効果］請求項２の発明のＸ線撮影台の場合、トレイキャッチ機構が、カセッテトレイの押し込み動作でカセッテトレイとトレイホルダを機械的に係合して撮影位置にカセッテトレイを保持し、またカセッテトレイの引き出し動作でカセッテトレイとトレイホルダとの機械的な係合を外して撮影位置でのカセッテトレイの保持を解除するので、カセッテトレイの押し込み操作と引き出し操作によって撮影位置でのカセッテトレイの保持とその解除が行なえる。
【００１６】
また、請求項３に記載の発明は、請求項１または２に記載のカセッテ式直接Ｘ線撮影台において、カセッテトレイにおけるカセッテセット面側の反対側にディスクが一側方向の回転（正回転）と他側方向の回転（逆回転）が可能に軸着されていて、ディスクの正回転と両カセッテ挟み付けピースの接近動作とを結び付け、ディスクの逆回転と両カセッテ挟み付けピースの離反動作とを結び付ける連結構造が各カセッテ挟み付けピースとディスクとの間に配設されており、引っ張り力付与機構として、カセッテ挟み付けピースの離反動作に伴うディスクの逆回転によって両カセッテ挟み付けピースを接近する向きに引き戻す引っ張り力を発生するバネ部材がディスクとカセッテトレイとの間に掛け渡されているのに加えて、カセッテ挟み付けロック機構は、ディスクを回転不能にすることによりカセッテ挟み付けピースを現在位置で固定するロックを掛け、ディスクを回転可能にすることによりカセッテ挟み付けピースを現在位置で固定するロックを解くものである。
［作用・効果］請求項３の発明のＸ線撮影台の場合、正逆回転可能なディスクの正回転と両カセッテ挟み付けピースの接近動作とを結び付け、ディスクの逆回転と両カセッテ挟み付けピースの離反動作とを結び付ける連結構造により、両カセッテ挟み付けピースの間隔調整に必要な連動移動が行なわれ、また両カセッテ挟み付けピースを接近する向きに引き戻す引っ張り力をバネ部材がカセッテ挟み付けピースの離反動作に伴うディスクの逆回転で発生するのに加え、カセッテ挟み付けピースを現在位置で固定するロックをディスクを回転不能にすることで掛け、カセッテ挟み付けピースを現在位置で固定するロックをディスクを回転可能にすることで解く構成であるので、簡潔な構成の撮影台とすることができる。
【００１７】
また、請求項４に記載の発明は、請求項１から３のいずれかに記載のカセッテ式直接Ｘ線撮影台において、撮影台が立位撮影用であって、カセッテトレイには、大きさの異なる各撮影用カセッテの下側面を受け止めるカセッテ受け止めピースが着脱自在に取り付けられるピース取り付け孔が、撮影用カセッテの大きさに応じた各位置に設けられているものである。
［作用・効果］請求項４の発明のＸ線撮影台の場合、立位撮影が行なえると共に、カセッテ受け止めピースの取り付け位置を変更することにより、大きさが異なる撮影用カセッテを装填することができる。
【発明の効果】
【００１８】
この発明のＸ線撮影台の場合、撮影用カセッテの装填時は、片手で掴んだＸ線感光シート入りの撮影用カセッテで一対のカセッテ挟み付けピースの一方を押して両カセッテ挟み付けピースの間隔を十分に広げながら、両カセッテ挟み付けピースの間に撮影用カセッテを入れ込んでカセッテ挟み付けピースを押すのを止めると、両カセッテ挟み付けピースが接近する向きに引き戻されてカセッテ挟み付けピースの間隔が速やかに狭まり、撮影用カセッテが挟み付けられて手が離せるようになり、更に撮影用カセッテを掴んでいた手を離してから同じ手でカセッテトレイをトレイホルダに押し込むとカセッテトレイのトレイホルダへの押し込み動作に連動してカセッテ挟み付けピースを現在位置で固定するロックが掛けられて撮影用カセッテが固定されて装填されたことになるので、片手操作だけで撮影用カセッテの装填がおこなえる。
【００１９】
また、この発明のＸ線撮影台の場合、撮影用カセッテの離脱時は、カセッテトレイをトレイホルダから撮影用カセッテの着脱位置へ引き出すと、カセッテ挟み付けピースを現在位置で固定するロックがカセッテトレイの引き出し動作に連動して外れて、カセッテ挟み付けピースが移動可能状態に復帰すると共に、カセッテトレイを引き出した方の片手で撮影用カセッテを掴んだまま撮影用カセッテで一対のカセッテ挟み付けピースの一方を押して両カセッテ挟み付けピースの間隔を広げて撮影用カセッテを取り出すと撮影用カセッテがカセッテトレイから離脱することになるので、片手操作だけで撮影用カセッテの離脱がおこなえる。
【００２０】
よって、この発明のカセッテ式直接Ｘ線撮影台によれば、カセッテトレイに対する撮影用カセッテの装填・離脱を片手操作でおこなうことができる。
【実施例】
【００２１】
この発明の実施例について図面を参照しながら詳しく説明する。図１は実施例に係る立位撮影用のカセッテ式直接Ｘ線撮影台の全体構成を示す正面図、図２は実施例のＸ線撮影台におけるカセッテトレイの押し込み状態を示す正面図、図３は実施例のＸ線撮影台のカセッテトレイ部分を示す斜視図、図４は実施例のＸ線撮影台のトレイホルダ部分を示す斜視図である。
【００２２】
図１に示す実施例の立位撮影用のカセッテ式直接Ｘ線撮影台は、Ｘ線感光シート１が入っている撮影用カセッテ２が収容されるカセッテトレイ３と、図２に示すように、撮影用カセッテ２の着脱位置から押し込まれるカセッテトレイ３を撮影用カセッテ２の着脱位置へ引き出し可能に受け入れて撮影位置に保持するトレイホルダ４とが、それぞれ直立型架台５にＸ線入射面（撮影面）が垂直となる向きに取り付けられており、立位撮影が行なえる。
【００２３】
すなわち、図１においてはカセッテトレイ３が撮影用カセッテ２の着脱位置にあり、また図２においてはカセッテトレイ３が撮影位置にある。また、実施例のＸ線撮影台の場合、トレイホルダ４のＸ線入射側に散乱Ｘ線除去用のグリッド６が揺動させられるかたちで配備されていて、ブッキタイプの撮影台となっている。
【００２４】
図３に示すように、カセッテトレイ３の左側端面には把手８が突設されていて、Ｘ線撮影技師は手で把手８を握って、カセッテトレイ３をトレイホルダ４に押し込んだり、逆にカセッテトレイ３をトレイホルダ４から引き出したりする。カセッテトレイ３の上端には撮影用カセッテ２の上側面が当たるカセッテ当たり止めピース９が左右方向に沿って続くかたちで固設されている。また、カセッテトレイ３のセット面側には、矢印ＲＡ，ＲＢで示すように、一方が他方に接近するのに連動して他方も一方に接近して両者の間隔が狭まると共に、矢印ＲＣ，ＲＤで示すように、一方が他方から離反するのに連動して他方も一方から離反して両者の間隔が広がるかたちで一対のカセッテ挟み付けピース１０，１１が配設されているのに加え、撮影用カセッテ２の下側面７を受け止めるカセッテ受け止めピース１２が配設されている。
【００２５】
図４に示すように、トレイホルダ４のグリッド６の取り付け側と反対側（Ｘ線非入射側）の面はメクラ板１３で塞がれており、また左辺を除いた残り３辺側の内端沿いに、押し込まれてくるカセッテトレイ３の左辺を除いた残り３辺側端部がちょうど嵌まる凹溝状部１４Ａ〜１４Ｃが設けられている。
【００２６】
トレイホルダ４の右下寄りの位置には、図５にも示すように、電動モータ１５と、電動モータ１５の回転に伴って回る偏心回動カム１６と、偏心回動カム１６の先端部１６Ａが嵌まり込む縦長孔１７Ａを有する移動プレート１７とからなるグリッド揺動機構が組み込まれており、更に移動プレート１７の上端部にグリッド６の右下隅部が固定されている。そして、モータ１５が１回転するのに伴って偏心回動カム１６の先端部１６Ａが移動プレート１７を引き連れながら縦長孔１７Ａの内を回転位置Ｐ１〜Ｐ４の順番で移動して元の回転位置Ｐ１に戻る間に、移動プレート１７が偏心寸法Ｌの２倍の間隔に相当する片道２Ｌの距離を１往復するのに連動してグリッド６が案内ローラ１８，１９によって滑らかに片道２Ｌの距離を左右方向に同期的に往復移動することにより、グリッド６の揺動が実行される。
【００２７】
一方、カセッテ受け止めピース１２の場合、図６に示すように、左右両端の奥側から上方に向かって途中で段差が付くかたちで起立した係止用部１２Ａ，１２Ｂが付設されていて、カセッテトレイ３に穿設された二つ１組みの取り付け孔２０に係止用部１２Ａ，１２Ｂを、図７にも示すように、段差が付くまでの部分がカセッテトレイ３の表側にあって段差が付いた以降の部分がカセッテトレイ３の裏側にあるかたちで挿入することでカセッテ受け止めピース１２が取り付けられる。また、取り付け孔２０，２０から係止用部１２Ａ，１２Ｂを取り外すことによって、カセッテ受け止めピース１２をカセッテトレイ３から外すことができる。
【００２８】
さらに、カセッテトレイ３には、図３に示すように、取り付け孔２０，２０として、撮影用カセッテ２のサイズ（大きさ）や寸法基準（インチとセンチメートル）等に応じた位置に穿設された取り付け孔２０Ａ，２０Ｂ・・・や取り付け孔２０ａ，２０ｂ・・・が幾種類もあって、カセッテ受け止めピース１２の取り付け孔２０を変更することにより、サイズや寸法基準が異なる撮影用カセッテ２の装填ができる構成となっている。
【００２９】
他方、カセッテ挟み付けピース１０，１１は、図８や図９にも示すように、カセッテトレイ３に穿設されたガイド用長孔２１，２２に各ピース１０，１１の真ん中が各長孔２１，２２の長手方向に向けてスライドして移動できるかたちで取り付けプレート１０Ａ，１１Ａで装着されている。ガイド用長孔２１，２２はカセッテトレイ３の略中央を左右方向に続くように形成されているので、カセッテ挟み付けピース１０，１１もカセッテトレイ３を左右にスライド移動する。
【００３０】
また、カセッテトレイ３におけるカセッテセット面側の反対側には、ディスク２３が一側方向の回転（正回転）と他側方向の回転（逆回転）が可能に軸着されていて、ディスク２３の正回転と両カセッテ挟み付けピース１０，１１の接近動作とを結び付け、ディスク２３の逆回転と両カセッテ挟み付けピース１０，１１の離反動作とを結び付ける連結構造として、揺動レバー２４，２５が各カセッテ挟み付けピース１０，１１とディスク２３の間にそれぞれ配設されている。
【００３１】
すなわち、各カセッテ挟み付けピース１０，１１とディスク２３の間には、各カセッテ挟み付けピース１０，１１の裏面側に一端部が回転可能に軸支され、ディスク２３の周縁近傍に他端部が回転可能に軸支された揺動レバー２４，２５が取り付けられていて、図８に矢印ＲＡ，ＲＢ，ＲＥで示すように、ディスク２３の正回転と両カセッテ挟み付けピース１０，１１の接近動作とが相互に相伴って起こり、図９に矢印ＲＣ，ＲＤ，ＲＦで示すように、ディスク２３の逆回転と両カセッテ挟み付けピース１０，１１の離反動作とが相互に相伴って起こる構成となっている。
【００３２】
また、実施例のＸ線撮影台の場合、両カセッテ挟み付けピース１０，１１が離反する方向に移動するのに連動して両カセッテ挟み付けピース１０，１１を接近する向きに引き戻す引っ張り力を両カセッテ挟み付けピース１０，１１に付与する引っ張り力付与機構が備わっている。具体的には、ディスク２３に一端が固定され、カセッテトレイ３に他端が固定されていて、カセッテ挟み付けピース１０，１１の離反動作に伴うディスク２３の逆回転に伴って伸長することで両カセッテ挟み付けピース１０，１１を接近する向きに引き戻す引っ張り力を発生するバネ部材２６を引っ張り力付与機構として備えていて、図９に示すように、ディスク２３が逆回転するとバネ部材２６が伸長してディスク２３を正回転させる方向へ引っ張り、両カセッテ挟み付けピース１０，１１を互いに接近する向きに移動させる。
【００３３】
加えて、実施例のＸ線撮影台は、カセッテトレイ３のトレイホルダ４への押し込み動作に連動してカセッテ挟み付けピース１０，１１を現在位置で固定するロックを掛けると共にカセッテトレイ３のトレイホルダ４への引き出し動作に連動してカセッテ挟み付けピース１０，１１を現在位置で固定するロックを解く挟み付けピースロック機構として、ディスク２３を回転不能にすることによりカセッテ挟み付けピースを現在位置で固定するロックを掛け、ディスクを回転可能にすることによりカセッテ挟み付けピース１０，１１を現在位置で固定するロックを解く構成が組み込まれている。
【００３４】
具体的には、図１０に示すように、カセッテトレイ３のカセッテセット面側と反対側では、ディスク２３の下部周縁の一定範囲にわたって設けられた歯部２７が配備されていると共に、この歯部２７と向き合う歯部２８が切設されているスライドピース２９が左右方向にスライド移動可能に取り付けられていて、一端がカセッテトレイ３の裏面に固定されたバネ部材３０の他端がスライドピース２９の右端部に固定されており、かつカセッテトレイ３がトレイホルダ４から引き出されている間は、図１０に示すように、スライドピース２９が右側いっぱいまで引き寄せられた位置にある。
【００３５】
一方、トレイホルダ４のメクラ板１３の表面側では、図１１に示すように、プッシュレバー３１が下端側を支点として回転可能に軸支されており、一端がメクラ板１３の方に固定されている水平姿勢の強いバネ部材３２の他端がプッシュレバー３１の中間位置に取り付けられていると共に、メクラ板１３に立設されたストッパー３３がプッシュレバー３１の下右縁に当接することにより、カセッテトレイ３がトレイホルダ４から引き出されている間はプッシュレバー３１が長手方向を垂直に向けて屹立状態を維持している。
【００３６】
そして、カセッテトレイ３がトレイホルダ４に押し込まれてくると、図１２に示すように、スライドピース２９の右端がプッシュレバー３１の左上端に当接してプッシュレバー３１が右側に回転して移動しようとするが、強いバネ部材３２の力で逆にスライドピース２９を左側へ押してスライドピース２９を左側へ移動させる。スライドピース２９が左側へ移動すると、やがてスライドピース２９の歯部２８とディスク２３の歯部２７とが噛み合う。スライドピース２９の歯部２８とディスク２３の歯部２７とが噛み合いながら、スライドピース２９はなお、若干移動してディスク２３を正回転させる。ディスク２３の若干の正回転によってカセッテ挟み付けピース１０，１１が若干接近し撮影用カセッテ２の挟み付けを確かなものとする。
【００３７】
なお、カセッテトレイ３がトレイホルダ４に押し込まれた状態では、スライドピース２９にはバネ部材３０によって右側へ引き戻される方向の引っ張り力が加わるけれども、強いバネ部材３２による抗力でプッシュレバー３１の方が押し勝ことになるので、スライドピース２９が右側に戻ることはなく、ディスク２３は回転不能となり、カセッテ挟み付けピース１０，１１を現在位置で固定するロックがかかった状態となり、撮影用カセッテ２は固定されることになる。
【００３８】
逆に、カセッテトレイ３がトレイホルダ４から引き出されると、スライドピース２９はプッシュレバー３１から速やかに離れると同時に、スライドピース２９がバネ部材３０によって右側へ引き戻されるので、スライドピース２９の歯部２８とディスク２３の歯部２７との噛み合いは解消され、ディスク２３は回転可能となり、カセッテ挟み付けピース１０，１１を現在位置で固定するロックは解かれ、カセッテ挟み付けピース１０，１１は移動可能な状態に復帰することになる。
【００３９】
さらに加えて、実施例のＸ線撮影台は、カセッテトレイ３の押し込み動作によりカセッテトレイ３とトレイホルダ４を機械的に係合させて撮影位置にカセッテトレイ３を保持すると共にカセッテトレイ３の引き出し動作によりカセッテトレイ３とトレイホルダ４との機械的な係合を外して撮影位置でのカセッテトレイ３の保持を解除するトレイキャッチ機構が組み込まれている。具体的には、図３に示すように、カセッテトレイ３の右端部の上寄りの位置に取り付けられたトレイ側係合用部３４と、図４に示すように、トレイホルダ４の右端部の上寄り内側の位置に設けられたホルダ側係合用部３５とを具備している。
【００４０】
カセッテトレイ３の押し込み動作でトレイ側係合用部３４とホルダ側係合用部３５が係合することでカセッテトレイ３は撮影位置にしっかりと保持される。またカセッテトレイ３の引き出し動作でトレイ側係合用部３４とホルダ側係合用部３５の係合が外れて撮影位置でのカセッテトレイ３の保持が解除される。
【００４１】
このように、実施例のＸ線撮影台の場合は、トレイ側係合用部３４とホルダ側係合用部３５によるトレイキャッチ機構が組み込まれていて、カセッテトレイの押し込み動作で撮影位置にカセッテトレイを確実に保持し、またカセッテトレイの引き出し動作で撮影位置でのカセッテトレイの保持が解除できる結果、カセッテトレイの押し込み操作と引き出し操作で撮影位置におけるカセッテトレイの確実な保持とその解除がおこなえる。
【００４２】
次に、実施例のＸ線撮影台でのカセッテトレイ３に対する撮影用カセッテ２の装填および離脱のプロセスを図面を参照しながら具体的に説明する。
【００４３】
先ず撮影用カセッテ２の装填プロセスから説明する。図１３は実施例のＸ線撮影台におけるカセッテセット時の状況を示す模式図、図１４は実施例のＸ線撮影台における撮影用カセッテの装填プロセスを示すフローチャートである。以下では、カセッテ受け止めピース１２は既に装填対象の撮影用カセッテ２に対応する位置に取り付けられていて、カセッテトレイ３が撮影用カセッテ２の着脱位置にあるものとする。
〔ステップＳ１〕Ｘ線撮影技師がＸ線感光シート１が入っている撮影用カセッテ２を片手で掴んで、図１３（ａ）に示すように、カセッテ当たり止めピース９とカセッテ受け止めピース１２の間に嵌まるようにしながらカセッテトレイ３の真ん中あたりに据える。
〔ステップＳ２〕図１３（ｂ）に示すように、Ｘ線撮影技師は片手で掴んだ撮影用カセッテ２でカセッテ挟み付けピース１０を左側へ押しやって、両カセッテ挟み付けピース１０，１１の間隔を十分に広げる。
〔ステップＳ３〕両カセッテ挟み付けピース１０，１１の間隔が十分に広がった時点で、両カセッテ挟み付けピース１０，１１の間に撮影用カセッテ２を入れ込んで撮影用カセッテ２でカセッテ挟み付けピース１０を押すのは止めて軽く支えるだけにする。
〔ステップＳ４〕撮影用カセッテ２でカセッテ挟み付けピース１０を押すのを止めて支えるだけにするのに伴って、図１３（ｃ）に示すように、バネ部材２６による引っ張り力で両カセッテ挟み付けピース１０，１１が両側から接近して来て両カセッテ挟み付けピースの間隔１０，１１が速やかに狭まり、撮影用カセッテ２がカセッテ挟み付けピース１０，１１で挟み付けられ、手を離したとしても撮影用カセッテ２が一応動かない仮止めの状態となる。
〔ステップＳ５〕撮影用カセッテ２を支えていた手を離すと共に撮影用カセッテ２から離したその手でカセッテトレイ３の把手８を握ってトレイホルダ４へカセッテトレイ３を押し込む。
〔ステップＳ６〕カセッテトレイ３がトレイホルダ４に受け入れられて撮影位置に保持されると同時に、カセッテトレイ３の押し込み動作によって、スライドピース２９の歯部２８とディスク２３の歯部２７とが噛み合ってディスク２３が回転不可となることにより、カセッテ挟み付けピース１０，１１を現在位置で固定するロックが掛けられ、撮影用カセッテ２はしっかり固定されて、片手操作による撮影用カセッテ２の装填は完了となる。
【００４４】
次に装填されている撮影用カセッテ２の離脱プロセスを説明する。図１５は実施例のＸ線撮影台におけるカセッテセットオフ時の状況を示す模式図、図１６は実施例のＸ線撮影台における撮影用カセッテの離脱プロセスを示すフローチャートである。
〔ステップＵ１〕Ｘ線撮影技師が片手でカセッテトレイ３の把手８を握ってカセッテトレイ３をトレイホルダ４から撮影用カセッテ２の着脱位置へ引き出す。
〔ステップＵ２〕カセッテトレイ３の引き出し動作によって、スライドピース２９の歯部２８とディスク２３の歯部２７との噛み合いが解消されてディスク２３が回転可能となることにより、カセッテ挟み付けピース１０，１１を現在位置で固定するロックが解け、両カセッテ挟み付けピース１０，１１が移動可能な状態に復帰する。
〔ステップＵ３〕図１５（ａ）に示すように、Ｘ線撮影技師はカセッテトレイ３を引き出したと同じ片手を撮影用カセッテ２の右側面に当てる。
〔ステップＵ４〕Ｘ線撮影技師は、図１５（ｂ）に示すように、当てた手で撮影用カセッテ２を左側へ押して両カセッテ挟み付けピース１０，１１の間隔を十分に広げる。
〔ステップＵ５〕両カセッテ挟み付けピース１０，１１の間隔が十分に広がった時点で、図１５（ｃ）に示すように、撮影用撮影用カセッテ２を掴んでカセッテトレイ３から取り出すことで、片手操作による撮影用カセッテの離脱は完了となる。
【００４５】
以上に述べたように、実施例のＸ線撮影台では、撮影用カセッテ２の装填時は、Ｘ線撮影技師が片手で掴んだＸ線感光シート入りの撮影用カセッテ２で一対のカセッテ挟み付けピース１０，１１の一方を押して両カセッテ挟み付けピース１０，１１の間隔を十分に広げながら、両カセッテ挟み付けピース１０，１１の間に撮影用カセッテ２を入れ込んでカセッテ挟み付けピース１０，１１を押すのを止めると、両カセッテ挟み付けピース１０，１１が接近する向きに引き戻されてカセッテ挟み付けピース１０，１１の間隔が速やかに狭まり、撮影用カセッテ２が挟み付けられて手が離せるようになり、更に撮影用カセッテ２を掴んでいた手を離してから同じ手でカセッテトレイ３をトレイホルダ４に押し込むとカセッテトレイ３のトレイホルダ４への押し込み動作に連動してカセッテ挟み付けピース１０，１１を現在位置で固定するロックが掛けられて撮影用カセッテ２が固定されて装填されたことになるので、片手操作だけで撮影用カセッテの装填がおこなえる。
【００４６】
また、この発明のＸ線撮影台の場合、撮影用カセッテ２の離脱時は、カセッテトレイ３をトレイホルダ４から撮影用カセッテ２の着脱位置へ引き出すと、カセッテ挟み付けピース１０，１１を現在位置で固定するロックがカセッテトレイ３の引き出し動作に連動して外れて、カセッテ挟み付けピース１０，１１が移動可能状態に復帰すると共に、カセッテトレイ３を引き出した方の片手で撮影用カセッテ２を掴んで撮影用カセッテ２で一対のカセッテ挟み付けピース１０，１１の一方を押して両カセッテ挟み付けピース１０，１１の間隔を広げて撮影用カセッテ２を取り出すと撮影用カセッテ２がカセッテトレイ３から離脱することになるので、片手操作だけで撮影用カセッテ２の離脱がおこなえる。
【００４７】
よって、実施例のカセッテ式直接Ｘ線撮影台によれば、カセッテトレイ３に対する撮影用カセッテ２の装填・離脱を片手操作でおこなうことができる。
【００４８】
さらに、実施例のＸ線撮影台の場合、正逆回転可能なディスク２３の正回転と両カセッテ挟み付けピース１０，１１の接近動作とを結び付け、ディスク２３の逆回転と両カセッテ挟み付けピース１０，１１の離反動作とを結び付ける連結構造により、両カセッテ挟み付けピース１０，１１の間隔調整に必要な連動移動が行なわれ、また両カセッテ挟み付けピース１０，１１を接近する向きに引き戻す引っ張り力をバネ部材２６がカセッテ挟み付けピース１０，１１の離反動作に伴うディスク２３の逆回転で発生するのに加え、カセッテ挟み付けピース１０，１１を現在位置で固定するロックをディスク２３を回転不能にすることで掛け、カセッテ挟み付けピースピース１０，１１を現在位置で固定するロックをディスク２３を回転可能にすることで解く構成であるので、簡潔な構成の撮影台が実現できる。
【００４９】
この発明は、上記実施の形態に限られることはなく、下記のように変形実施することができる。
（１）実施例のＸ線撮影台は、立位撮影用であったが、この発明は、立位撮影用以外の直接Ｘ線撮影台にも適用することができる。
（２）実施例のＸ線撮影台は、トレイホルダ４のＸ線入射側に散乱Ｘ線除去用のグリッド６がＸ線撮影時に揺動させられるかたちで配備されたブッキタイプの撮影台であったが、この発明は、Ｘ線撮影時に揺動させられるグリッド６を備えていない非ブッキタイプの直接Ｘ線撮影台にも適用することができる。
【図面の簡単な説明】
【００５０】
【図１】実施例のカセッテ式直接Ｘ線撮影台の全体構成を示す正面図である。
【図２】実施例のＸ線撮影台におけるカセッテトレイの押し込み状態を示す正面図である。
【図３】実施例のＸ線撮影台のカセッテトレイ部分を示す斜視図である。
【図４】実施例のＸ線撮影台のトレイホルダ部分を示す斜視図である。
【図５】実施例のＸ線撮影台のグリッド揺動の為の構成を示す正面図である。
【図６】実施例のＸ線撮影台のカセッテ受け止めピースを取り付け状態で示す正面図である。
【図７】実施例のＸ線撮影台のカセッテ受け止めピースを取り付け状態で示す断面図である。
【図８】実施例のＸ線撮影台のカセッテ挟み付けピースの接近状況を示す正面図である。
【図９】実施例のＸ線撮影台のカセッテ挟み付けピースの離反状況を示す正面図である。
【図１０】実施例のＸ線撮影台に組み込まれている挟み付けピースロック機構のカセッテトレイ側構成部分を示す正面図である。
【図１１】実施例のＸ線撮影台に組み込まれている挟み付けピースロック機構のトレイホルダ側構成部分を示す正面図である。
【図１２】実施例のＸ線撮影台に組み込まれている挟み付けピースロック機構のロック実施状況を示す正面図である。
【図１３】実施例のＸ線撮影台でのカセッテセット時の状況を示す模式図である。
【図１４】実施例のＸ線撮影台における撮影用カセッテの装填プロセスを示すフローチャートである。
【図１５】実施例のＸ線撮影台でのカセッテセットオフ時の状況を示す模式図である。
【図１６】実施例のＸ線撮影台における撮影用カセッテの離脱プロセスを示すフローチャートである。
【図１７】従来のカセッテ式直接Ｘ線撮影台の全体構成を示す正面図である。
【図１８】従来のＸ線撮影台における撮影用カセッテの装填・離脱操作を説明する為の正面図である。
【符号の説明】
【００５１】
１            …Ｘ線感光シート
２            …撮影用カセッテ
３            …カセッテトレイ
４            …トレイホルダ
７            …（撮影用カセッテ）の下側面
１０，１１    …カセッテ挟み付けピース
１２          …カセッテ受け止めピース
２０          …ピース取り付け孔
２０Ａ，２０Ｂ…ピース取り付け孔
２０ａ，２０ｂ…ピース取り付け孔
２３          …ディスク
２４          …揺動レバー（連結構造の一部）
２５          …揺動レバー（連結構造の一部）
２６          …バネ部材（引っ張り力付与機構）
２７          …歯部（挟み付けピースロック機構の一部）
２８          …歯部（挟み付けピースロック機構の一部）
２９          …スライドピース（挟み付けピースロック機構の一部）
３１          …プッシュレバー（挟み付けピースロック機構の一部）
３４          …トレイ側係合用部（トレイキャッチ機構の一部）
３５          …ホルダ側係合用部（トレイキャッチ機構の一部）
【図１】
2005198881.tif 000003
【図２】
2005198881.tif 000004
【図３】
2005198881.tif 000005
【図４】
2005198881.tif 000006
【図５】
2005198881.tif 000007
【図６】
2005198881.tif 000008
【図７】
2005198881.tif 000009
【図８】
2005198881.tif 000010
【図９】
2005198881.tif 000011
【図１０】
2005198881.tif 000012
【図１１】
2005198881.tif 000013
【図１２】
2005198881.tif 000014
【図１３】
2005198881.tif 000015
【図１４】
2005198881.tif 000016
【図１５】
2005198881.tif 000017
【図１６】
2005198881.tif 000018
【図１７】
2005198881.tif 000019
【図１８】
2005198881.tif 000020